(57)【要約】【課題】組立て手数を減少でき、歩留まりを向上でき、コストダウンを図れる。【解決手段】相互に嵌め合う剛性枠１１と上縁部に内周縁部に沿って内方へ突出延伸するストッパー１０１を有する可塑性枠１０と、剛性枠１１と可塑性枠１０との間に配設される光ガイド１２と発光素子１３と、ストッパー１０１に配設される光学部材セット１５と、を少なくとも有する。【選択図】図２
0003106387.tif 000002
【実用新案登録請求の範囲】
【請求項１】
相互に嵌め合う剛性枠と、上縁部に内周縁部に沿って内方へ突出延伸するストッパーを有する可塑性枠と、
前記の剛性枠と前記の可塑性枠との間に配設される光ガイドと発光素子と、
前記のストッパーに配設される光学部材セットと、
を少なくとも有することを特徴とするバック・ライト・モジュール。
【請求項２】
前記の可塑性枠においては、そのストッパーにはさらに前記の光学部材セットに嵌め合い固着可能な嵌め合い槽を有することを特徴とする請求項１に記載のバック・ライト・モジュール。
【請求項３】
さらに前記の光ガイドと前記の剛性枠との間に貼り付けられる反射部材を有することを特徴とする請求項１に記載のバック・ライト・モジュール。
【請求項４】
前記の光ガイドには、その底部には反射層を有することを特徴とする請求項１に記載のバック・ライト・モジュール。
【請求項５】
前記光ガイドにおいては、上向けて薄い層が延伸形成され、且つ前記光学部材セットに貼り付けられるようにしたことを特徴とする請求項１に記載のバック・ライト・モジュール。
【請求項６】
前記の光学部材セットには拡散ピースとプリズム・ピースとを有することを特徴とする請求項１に記載のバック・ライト・モジュール。
【考案の詳細な説明】
【技術分野】
【０００１】
本考案は、バック・ライト・モジュールに係わり、特に組立てやすく、検出に便利であり、且つ取り外しを容易にした、バック・ライト・モジュールに関するものである。
【背景技術】
【０００２】
バック・ライト・モジュールは、一般に、背面光源を生成可能な手段をいうものであり、従来では、広範的に各種の情報や通信や消費性製品などに運用されており、例えば、液晶表示器（ＬＣＤ）やフィルム・スキャナーや投影片用プロジェクターなどの多くの製品に利用されており、その主要な構成部材には、入射光源と光ガイドと拡散板とプリズム・ピースや輝度強化フィルム（ＢＥＦ）などを含んでおり、その原理をいうと、一枚の光ガイドによって発光源、例えば冷陰極ランプ（ＣＣＦＬ）や発光ダイオード（ＬＥＤ）などからの光線を導入し、均一的な面光源を生成させ、同時に、未来のマーケットにおける競争力を確保するために、そのバック・ライト・モジュールも軽量化と薄型化と低消費電力化と高輝度と低コスト化などの方向へ進めさせなければならない。
【０００３】
図１は、従来のバック・ライト・モジュール１ａを示す組立図であり、それには、相互に嵌め合う可塑性枠１０ａと剛性枠１１ａと、それらの可塑性枠１０ａと剛性枠１１ａとの間に形成される収納空間と、その収納空間に配設される光ガイド１２ａと、発光装置１３ａと、反射ピース１４ａと、少なくとも一枚の拡散ピース１５ａと少なくとも一枚のプリズム・ピース１６ａとを備えており、最後にガラス基板２ａを合せて使用する。可塑性枠１０ａは上縁部には内周縁部へ沿って内方へ突出延伸する環状ストッパー１０１ａが形成されている。それは、組立てる際に、可塑性枠１０ａが逆さまに配設され、この場合では、環状ストッパー１０１ａが可塑性枠１０ａの下方に位置し、先にニーズに従って順次に拡散ピース１５ａとプリズム・ピース１６ａを環状ストッパー１０１ａに対し配設し、光ガイド１２ａと発光素子１３ａを取り付けた後に、光ガイド１２ａに対し反射ピース１４ａを貼り付け、また、剛性枠１１ａを可塑性枠１０ａに対し嵌め合わせ、それによって、光ガイド１２ａと発光素子１３ａをその内部に収納配設する。この場合では、大体組立終了し、半製品を形成し、また、その半製品を逆さまに配設し、この際、環状ストッパー１０１ａが可塑性枠１０ａの上方に位置するように設定され、また、ガラス基板２ａを環状ストッパー１０１ａに組立てることによってガラス基板２ａと拡散ピース１５ａと、プリズム・ピース１６ａと、光ガイド１２ａと、発光素子１３ａと、反射ピース１４ａなどの部材を環状ストッパー１０１ａにおける対向する側に配置されるようにする状態に設定する。
【０００４】
しかしながら、従来のバック・ライト・モジュール１ａを組立てる場合に、可塑性枠１０ａを逆転させる手数を実施する必要があり、その組立の順序が明らかに不順的になる。また、剛性枠１１ａと可塑性枠１０ａとが相互に穏やかに係合される構造を有しており、それらの剛性枠１１ａと可塑性枠１０ａとが嵌め合った後に、取り外しにくくなり、これは製造効率に影響を及ぼし、且つ生産過程に、メンテナンスを実行する必要がある場合、または拡散ピース１５ａまたはプリズム・ピース１６ａなどが用材交換を実行する場合に、その繰り返しの工程が煩雑的になるとともに、製品の損害を招く場合があり、これらの原因は製品の歩留まりを向上することに大幅に影響を及ぼすようになっている。また、前記の損害されやすい製品については、拡散ピース１５ａやプリズム・ピース１６ａや光ガイド１２ａや反射ピース１４ａなどが削り疵を生じやすいものである。このことは、その全体の輝度に不利な点をもたらすことがあり、大幅に製品の価値を低下させる影響がある。また、設計のニーズのそれぞれ異なることに従って、拡散ピース１５ａとプリズム・ピース１６ａの組立数量とその順次がそれぞれ異なるようになっており、また、光学特性を向上するために偏光板や光線強化ピースなどを増設する場合もあり、検出手数を実施することによって順序または位置決めが正しいかを確認しようとするために、その検出手数も前記のような苦手が課題になってしまい、既に嵌め合う剛性枠１１ａと可塑性枠１０ａとを取り外しがたいものであり、また、その取り外し後に、再び組立てる場合に、製品を破壊するリスクが潜在しており、他に、従来のバック・ライト・モジュール１ａの組立構造は、そのストッパー１０１ａが光学膜に配設されるので、光線がそれらの光学膜に作用されてから上に向けて均一になる光線出射状態になるが、そのストッパー１０１ａに阻止されると、その出射面積が縮小される場合があるので、従来のバック・ライト・モジュール１ａが明らかにコストの最大のエフェクトを取得できないと認められてきた。
【考案の開示】
【考案が解決しようとする課題】
【０００５】
本考案は、部材を逆転する手数を減少し、組立てやすくなり、且つ組立が順調的であり、且つ歩留まりを効果的に向上でき、製造コストを低下させるそれぞれの諸効果を有する、バック・ライト・モジュールを提供することをその主要な解決しようとする課題とする。
【０００６】
また、本考案は、その組立の正確性を検出しやすく、且つメンテナンスが実施しやすく、生産歩留まりを向上できるとともに、製造コストを安価にさせることができる、バック・ライト・モジュールを提供することをその第二の解決しようとする課題とする。
【０００７】
また、本考案は、相互に嵌め合う剛性枠と可塑性枠とを強引に取り外すことによって製品に損害を招かないように処理し、高精密度の製品を提供することによって、製品の廃棄される可能性を低減するとともに、製造コストを大幅に低下させることができるようにした、バック・ライト・モジュールを提供することをその第三の解決しようとする課題とする。
【０００８】
また、本考案は、光線出射面積を拡大でき、バック・ライト・モジュールの利用性を向上できるようにすることによって製造コストを安価に設定できるようにしたことを特徴とする、バック・ライト・モジュールを提供することをその第四の解決しようとする課題とする。
【課題を解決するための手段】
【０００９】
前記のそれぞれの目的を図るために、本考案は、相互に嵌め合う剛性枠と上縁部に内周縁部に沿って内方へ突出延伸するストッパーを有する可塑性枠と、前記の剛性枠と前記の可塑性枠との間に配設される光ガイドと発光素子と、前記のストッパーに配設される光学部材セットと、を少なくとも有する、バック・ライト・モジュールを提供し、且つ前記の光学部材セットの上方にガラス基板を配設し、それらのことによって全体が組立てやすく、検出しやすい光学部材セットを有しつつ、前記剛性枠と前記可塑性枠とを容易に着脱可能に設定するようにした、バック・ライト・モジュールを提供する。
【００１０】
本考案の特徴と技術手段とその詳細な内容を具体的に説明するために、以下に添付図面を参照しながら、本考案の優れる実施の形態を詳しく説明するが、それらの説明は単に本考案の実施可能な実施例に過ぎず、本考案の主張範囲を狭義的に局限するものではない。
【考案を実施するための最良の形態】
【００１１】
図２は、本考案の提供する一種のバック・ライト・モジュール１を示す説明図であり、それには、相互に嵌め合う可塑性枠１０と剛性枠１１とを備え、可塑性枠１０の上縁部にはその内周縁部に沿って内方へ突出延伸するストッパー１０１を有し、且つその剛性枠１１と可塑性枠１０との間に収納配設される光ガイド１２と発光素子１３とストッパー１０１に配設される光学部材セット１５とを備え、且つ光学部材セット１５の上方に配設されるガラス基板２を有する。
【００１２】
可塑性枠１０と剛性枠１１とがそれぞれプラスチック材料と金属材料（特に鉄を採用したほうが好ましい）からなるものである。ストッパー１０１が剛性枠１１と収納空間を形成し、そこに光ガイド１２と発光素子１３を穏やかに挟持し、可塑性枠１０が元来の設計の通りにストッパー１０１を配設してもよく、または、その可塑性枠１０に対しそのストッパー１０１の仕様と配設の高さを好適に考案し、さらに光ガイド１２を配設できるようにしてもよい。その光ガイド１２と剛性枠１１との間には反射部材１４が配設され、反射ピースまたは反射膜によって光ガイド１２の底部に貼り付けるようにし、または、直接にその光ガイド１２の底部に反射層をメッキ形成させることによってその光ガイド１２の底部に反射機能を有する反射部材１４を形成させる。
【００１３】
その中では、ストッパー１０１が存在するため、光ガイド１２と光学部材セット１５との間には微小の隙間が形成されている。光ガイドには、上に向けて薄い層（図３参照）を形成させることによって隙間を充填するとともに、光学部材セット１５に貼り付けるようにしてもよい。可塑性枠１０がストッパー１０１の上にさらに嵌め合い槽１０２（図３参照）を形成させてもよく、それによって光学部材セット１５のそれぞれ異なる仕様に該当するように設定できる効果を有する。且つさらに光学部材セット１５を嵌め合い固定する機能を発揮できる。
【００１４】
発光素子１３として冷陰極管または発光ダイオードなどを好適に使用でき、その形状として一字形またはＬ字形に形成させることができ、または、光ガイド１２の周辺部に隣接または囲んで配設してもよく、それぞれの様態がそれぞれの出射のニーズに対応できる。また、光学部材セット１５として拡散ピースやプリズム・ピースなどを好適に包含使用でき、それぞれ異なる設計に応じるために、前記の拡散ピースと前記のプリズム・ピースの組立数量と順次についてはそれぞれ異なる変化を実行することができる。特殊な光学効果を達成するためには、光学部材セット１５にはさらにニーズに応じて偏光板や光線とかポースや明るさ向上膜や眩しさ消去膜や抗反射膜などを好適に採用導入できる。
【００１５】
本考案によるバック・ライト・モジュール１は、その組み立て手数については、例えば、直接的に反射部材１４と光ガイド１２と発光素子１３とを剛性枠１１の前記の収納空間内に配設し、それから、可塑性枠１０を下に向けて剛性枠１１に係合し、それらの操作によって光ガイド１２と発光素子１３をその内部に挟持し、これは、その可塑性枠１０を反転させるステップをなくすことができ、組立てやすく、且つ組立が順調になる効果を取得でき、且つさらに製造フローを加速でき、効率を向上できる。他に、光学部材セット１５を設計に従ってストッパー１０１に配設し、その光学部材セット１５と光ガイド１２とをストッパー１０１に対し配設する対向しあう関係を形成させ、その中では、光ガイド１２が発光素子１３の発行する側部光源を面光源になるように転換をし、ストッパー１０１を経過後に、光学部材セット１５における拡散ピースまたはプリズム・ピースなどの光学効果によって面光源にストッパー１０１の制限を受けさせないようにし、そのため、出射する光線の面積を増加できるので、そのバック・ライト・モジュール１の使用効果性を大幅に向上できる。
【００１６】
製造過程においては、メンテナンスや材料交換などを実行する必要がある場合では、本考案によるバック・ライト・モジュール１も気軽に光学部材セット１５の検出および取替えを容易に実行でき、可塑性枠１０と剛性枠１１とを取り外す手数は不要、バック・ライト・モジュール１の組立の正確性と歩留まりを向上できる。他に、前記の嵌め合う剛性枠１１と可塑性枠１０とを取り外す手数をなくすことができるので、製品の不必要な損害されるリスクをなくすことができ、例えば擦って疵を生成することなどの全体の輝度を劣化させることや不好適な製品を作り出すことなどをすべてなくすことができるので、製造歩留まりを向上できるため、製造コストを効果的に低下させることができる。
【産業上の利用可能性】
【００１７】
バック・ライト・モジュールにかかわる産業をいうと、原料がバック・ライト・モジュールの大部分のコストを占め、その主要な材料が少数のメーカに掌握されているので、バック・ライト・モジュールのメーカの利益獲得空間が単に組立費用と他の費用に限られ、且つ製造プロセスをいうと、バック・ライト・モジュールが労力密集と管理要求厳格などの課題を有する組立産業となっている。そのため、本考案のバック・ライト・モジュール１が組立てやすく、検出とメンテナンスが便利であり、生産フローの順調さを向上できるほかに、検出コストと廃棄品コストを大幅に減少でき、出射面積の使用効率を向上でき、この薄弱な利益しか取得できない時代においてはかなり強い競争力の実用新案の設計であり、そのバック・ライト・モジュール１がこの激しい競争中の高度の産業の利用性を有する新たな創作といえる。
【図面の簡単な説明】
【００１８】
【図１】従来のバック・ライト・モジュールを示す説明図である。
【図２】本考案のバック・ライト・モジュールを示す説明図である。
【図３】本考案の他の実施の形態のバック・ライト・モジュールを示す説明図である。
【符号の説明】
【００１９】
１        バック・ライト・モジュール
１０      可塑性枠
１１      剛性枠
１２      光ガイド
１３      発光素子
１４      反射ピース
１５      光学部材セット
１０１    ストッパー
１０２    嵌め合い槽
【図１】
0003106387.tif 000003
【図２】
0003106387.tif 000004
【図３】
0003106387.tif 000005